【手続補正書】
【提出日】平成27年11月13日(2015.11.13)
【手続補正１】
【補正対象書類名】特許請求の範囲
【補正対象項目名】全文
【補正方法】変更
【補正の内容】
【特許請求の範囲】
【請求項１】
メディアに対しデータ記録と印刷とを含む発行処理を実行するメディア処理装置において、
所定の指示が入力される入力部と、
前記データ記録の対象となる記録対象データと、前記印刷に使用される印刷用データとを取得する情報取得部と、
前記入力部と前記情報取得部を含む各部を制御する制御部と、を備え、
前記入力部で前記発行処理が指示された場合、
前記制御部は、前記情報取得部で取得された前記記録対象データと前記印刷用データとを前記メディアにデータ記録させ、前記印刷用データに基づいて前記メディアに印刷させることを特徴とするメディア処理装置。
【請求項２】
前記制御部は、前記記録対象データと区分けされるフォルダーに、前記印刷用データを格納させて前記メディアにデータ記録させることを特徴とする請求項１に記載のメディア処理装置。
【請求項３】
前記フォルダーは、予め指定されたフォルダー名のフォルダーであることを特徴とする請求項２に記載のメディア処理装置。
【請求項４】
前記入力部で前記記録対象データと前記印刷用データとがデータ記録された記録済みメディアの複製が指示された場合、
前記情報取得部は、前記記録済みメディアに記録された前記記録対象データと前記印刷用データとを読み取り、
前記制御部は、読み取った前記記録対象データと前記印刷用データを複製先のメディアにデータ記録させ、読み取った前記印刷用データに基づいて前記複製先のメディアに印刷させることを特徴とする請求項１乃至３のいずれか一項に記載のメディア処理装置。
【請求項５】
前記情報取得部は、前記記録済みメディアに記録された前記記録対象データと前記印刷用データとを、前記制御部が展開可能なファイル形式のデータで読み取り、
前記制御部は、読み取った前記記録対象データと前記印刷用データを含むイメージファイルを生成して前記複製先のメディアにデータ記録させることを特徴とする請求項４に記載のメディア処理装置。
【請求項６】
前記情報取得部は、前記記録済みメディアから、前記記録対象データに含まれないメディア管理情報を更に読み取り、
前記制御部は、前記メディア管理情報を含む前記イメージファイルを生成して前記複製先のメディアにデータ記録させることを特徴とする請求項５に記載のメディア処理装置。
【請求項７】
前記記録対象データの容量若しくはフォルダー名の少なくともいずれかが、前記メディアに対する前記記録対象データと前記印刷用データとのデータ記録を阻害する容量若しくはフォルダー名か否かを判定する判定部を有し、
前記制御部は、前記判定部が前記データ記録を阻害しないと判定した場合に、前記記録対象データと前記印刷用データとを前記メディアへデータ記録させることを特徴とする請求項１乃至６のいずれか一項に記載のメディア処理装置。
【請求項８】
メディアに対しデータ記録と印刷を行うメディア発行装置を制御する制御装置において、
所定の指示が入力される入力部と、
前記データ記録の対象となる記録対象データと、前記印刷に使用される印刷用データとを取得する情報取得部と、
前記入力部と前記情報取得部を含む各部を制御する制御部と、を備え、
前記入力部でデータ記録と印刷とを含む発行処理が指示された場合、
前記制御部は、前記情報取得部で取得された前記記録対象データと前記印刷用データとを前記メディアにデータ記録させ、前記印刷用データに基づいて前記メディアに印刷させることを特徴とする制御装置。
【請求項９】
メディアに対しデータ記録と印刷を行うメディア発行装置を制御するコンピューターにより実行される制御プログラムであって、
前記コンピューターを、
所定の指示が入力される入力手段と、
前記データ記録の対象となる記録対象データと、前記印刷に使用される印刷用データとを取得する取得手段と、
前記入力手段でデータ記録と印刷とを含む発行処理が指示された場合、前記取得手段で取得された前記記録対象データと前記印刷用データとを前記メディアにデータ記録させ、前記印刷用データに基づいて前記メディアに印刷させる手段と、して機能させることを特徴とする制御プログラム。
【手続補正２】
【補正対象書類名】明細書
【補正対象項目名】０００６
【補正方法】変更
【補正の内容】
【０００６】
上記目的を達成するために、本発明は、メディアに対しデータ記録と印刷とを含む発行処理を実行するメディア処理装置において、所定の指示が入力される入力部と、前記データ記録の対象となる記録対象データと、前記印刷に使用される印刷用データとを取得する情報取得部と、前記入力部と前記情報取得部を含む各部を制御する制御部と、を備え、前記入力部で前記発行処理が指示された場合、前記制御部は、前記情報取得部で取得された前記記録対象データと前記印刷用データとを前記メディアにデータ記録させ、前記印刷用データに基づいて前記メディアに印刷させることを特徴とする。
この構成によれば、記録対象データと印刷用データとをメディアにデータ記録させるとともに、前記印刷用データに基づいて前記メディアに印刷させるので、複製に適した処理を行うことができる。
【手続補正３】
【補正対象書類名】明細書
【補正対象項目名】０００８
【補正方法】変更
【補正の内容】
【０００８】
また、上記構成において、前記入力部で前記記録対象データと前記印刷用データとがデータ記録された記録済みメディアの複製が指示された場合、前記情報取得部は、前記記録済みメディアに記録された前記記録対象データと前記印刷用データとを読み取り、前記制御部は、読み取った前記記録対象データと前記印刷用データを複製先のメディアにデータ記録させ、読み取った前記印刷用データに基づいて前記複製先のメディアに印刷させても良い。この構成によれば、複製メディアを容易に作成することができる。
【手続補正４】
【補正対象書類名】明細書
【補正対象項目名】０００９
【補正方法】変更
【補正の内容】
【０００９】
また、上記構成において、前記情報取得部は、前記記録済みメディアに記録された前記記録対象データと前記印刷用データとを、前記制御部が展開可能なファイル形式のデータで読み取り、前記制御部は、読み取った前記記録対象データと前記印刷用データを含むイメージファイルを生成して前記複製先のメディアにデータ記録させても良い。この構成によれば、複製先のメディアに記録された記録対象データおよび印刷用データを容易に展開等することができる。
【手続補正５】
【補正対象書類名】明細書
【補正対象項目名】００１１
【補正方法】変更
【補正の内容】
【００１１】
また、上記構成において、前記記録対象データの容量若しくはフォルダー名の少なくともいずれかが、前記メディアに対する前記記録対象データと前記印刷用データとのデータ記録を阻害する容量若しくはフォルダー名か否かを判定する判定部を有し、前記制御部は、前記判定部が前記データ記録を阻害しないと判定した場合に、前記記録対象データと前記印刷用データとを前記メディアへデータ記録させても良い。この構成によれば、記録対象データの容量若しくはフォルダー名が適正か否かをデータ記録前に判定することができる。
【手続補正６】
【補正対象書類名】明細書
【補正対象項目名】００１２
【補正方法】変更
【補正の内容】
【００１２】
また、本発明は、メディアに対しデータ記録と印刷を行うメディア発行装置を制御する制御装置において、所定の指示が入力される入力部と、前記データ記録の対象となる記録対象データと、前記印刷に使用される印刷用データとを取得する情報取得部と、前記入力部と前記情報取得部を含む各部を制御する制御部と、を備え、前記入力部でデータ記録と印刷とを含む発行処理が指示された場合、前記制御部は、前記情報取得部で取得された前記記録対象データと前記印刷用データとを前記メディアにデータ記録させ、前記印刷用データに基づいて前記メディアに印刷させることを特徴とする。この構成によれば、記録対象データと印刷用データとをメディアにデータ記録させるとともに、前記印刷用データに基づいて前記メディアに印刷させるので、複製に適した処理を行うことができる。
【手続補正７】
【補正対象書類名】明細書
【補正対象項目名】００１３
【補正方法】変更
【補正の内容】
【００１３】
また、本発明は、メディアに対しデータ記録と印刷を行うメディア発行装置を制御するコンピューターにより実行される制御プログラムであって、前記コンピューターを、所定の指示が入力される入力手段と、前記データ記録の対象となる記録対象データと、前記印刷に使用される印刷用データとを取得する取得手段と、前記入力手段でデータ記録と印刷とを含む発行処理が指示された場合、前記取得手段で取得された前記記録対象データと前記印刷用データとを前記メディアにデータ記録させ、前記印刷用データに基づいて前記メディアに印刷させる手段と、して機能させることを特徴とする。
この構成によれば、この制御プログラムによって、上記制御装置の各構成を実現することができる。